(57)【要約】【課題】逆洗運転時にろ過材を原水と清澄水とを用いて十分にかつ効率よく洗浄することができるとともに、その清澄水の使用を必要最小限に抑えて経済的に洗浄することができる浄水装置を提供する。【解決手段】ろ過材２が収容された処理槽１内に流入管４を通して原水を供給してろ過材２に通すことによりその原水を清澄な浄化水として流出管５から流出させる浄化運転と、この浄化運転からろ過材２が一定以上汚れたときに、そのろ過材を洗浄する手段として、流出管５から処理槽１内に洗浄用の水を逆流するように供給して流入管４から流出させる逆洗運転に切替えることが可能で、その逆洗運転時には、最初は流出管５から処理槽１内に供給して逆流させる洗浄用の水として原水を用い、それ以後には清澄水を用いる。原水と清澄水の切替えは、原水・清澄水切替用電動弁２３を制御部４５により制御して行なう。【選択図】    図１
2007021361.tif 000002
【特許請求の範囲】
【請求項１】
流入路および流出路を有し、内部にろ過材が収容された処理槽内に前記流入路を通して原水を供給し、この原水を前記ろ過材に通すことによりその原水を清澄な浄化水として前記流出路から流出させる浄化運転と、この浄化運転から前記ろ過材が一定以上汚れたときに、そのろ過材を洗浄する手段として、前記流出路から処理槽内に洗浄用の水を逆流するように供給して前記流入路から流出させる逆洗運転に切替えることが可能な浄水装置おいて、
前記逆洗運転時には、その運転の開始から途中までは前記流出路から処理槽内に供給して逆流させる洗浄用の水として原水を用い、それ以後には清澄水を用いることを特徴とする浄水装置。
【請求項２】
前記原水は井戸水であり、前記清澄水は前記処理槽で浄化した浄化水または水道水であることを特徴とする請求項１に記載の浄水装置。
【請求項３】
前記逆洗運転時において、洗浄用の水として原水を用いる運転と、清澄水を用いる運転とに切替えることが可能な制御手段を有することを特徴とする請求項１または２に記載の浄水装置。
【請求項４】
前記制御手段は、洗浄用の水として原水を用いる運転の時間と、清澄水を用いる運転の時間との比率を変える機能を有することを特徴とする請求項３に記載の浄水装置。
【請求項５】
前記処理槽の流入路と流出路とに渡って接続された浄化・逆洗切替用の電動弁と、この電動弁に接続された原水・清澄水切替用の電動弁とを備え、浄化運転時には前記原水・清澄水切替用の電動弁、前記浄化・逆洗切替用の電動弁および前記流入路を通して処理槽内に原水を供給し、逆洗運転時にはその開始から途中までは、前記浄化・逆洗切替用の電動弁の切替えの動作により、前記原水・清澄水切替用の電動弁、前記浄化・逆洗切替用の電動弁および前記流出路を通して処理槽内に原水を逆流するように供給し、それ以後は前記原水・清澄水切替用の電動弁の切替えの動作により、前記原水・清澄水切替用の電動弁、前記浄化・逆洗切替用の電動弁および前記流出路を通して処理槽内に清澄水を逆流するように供給することを特徴とする請求項１ないし４のいずれかに記載の浄水装置。
【請求項６】
前記浄化・逆洗切替用の電動弁および前記原水・清澄水切替用の電動弁の切替えの動作は前記制御手段により行なわれることを特徴とする請求項５に記載の浄水装置。
【請求項７】
前記原水・清澄水切替用の電動弁は前記浄化・逆洗切替用の電動弁に着脱可能に取り付けられていることを特徴とする請求項５または６に記載の浄水装置。
【発明の詳細な説明】
【技術分野】
【０００１】
この発明は、例えば井戸から取水した原水に含まれる鉄イオンやマンガンイオンなどの不純成分を除去してその原水を浄化する浄水装置に関する。
【背景技術】
【０００２】
井戸などから取水した原水には、鉄イオンやマンガンイオンなどの不純成分が含まれており、このため従来からその不純成分を除去して浄化するための浄水装置が提案され、特開２００３−２６９６３０公報などに開示されている。
【０００３】
井戸水などの原水を取水した際には、前処理としてその原水に次亜塩素酸ナトリウムなどを注入して鉄やマンガンなどのイオンを析出させ、この後、その原水を浄水装置に導入して浄化するようにしている。
【０００４】
浄水装置は処理槽を備え、この処理槽内にアンスラサイトやろ過砂、マンガン砂などのろ過材が収容されている。この処理槽内に前処理後の原水が導入され、この原水がろ過材中を通過する際に鉄やマンガンなどの不純成分がそのろ過材により捕捉除去され、清澄な浄化水として処理槽から吐出され、所定の給水設備に供給される。
【０００５】
処理槽内のろ過材には時間の経過と共に鉄やマンガンなどの不純成分が蓄積される。ろ過材に不純成分が一定量以上蓄積されたまま浄化運転が継続されると、浄化水中に所定の水質基準を超える不純成分が含有してしまう。このため、ろ過材に不純成分が一定量以上蓄積される前に、その汚れを落とす手段として、逆洗運転が行なわれる。
【０００６】
この逆洗運転は、井戸などから取水した原水を電動弁の切替えにより、浄化運転時とは逆の流れとなるように処理槽内に流し、その原水でろ過材に蓄積されている不純成分を洗い流してろ過材の機能を回復させる工程である。
【特許文献１】特開２００３−２６９６３０公報
【発明の開示】
【発明が解決しようとする課題】
【０００７】
逆洗運転時には、本来ならば処理槽内に原水を流すのではなく、浄化したきれいな浄化水や、可能であれば水道水を流すことが好ましい。なぜならば、原水には不純成分が含まれており、したがってこのような原水を処理槽内に逆流させたのでは、洗浄の初期にはろ過材を効率よく洗浄することができるものの、一定時間が経過した後には効率が低下して完全に洗浄することが困難となるからである。特に原水に含まれる不純成分の含有率が高い場合などにはさらに洗浄効率が低下してしまう。
【０００８】
このため、逆洗運転時には、浄化運転で得た浄化水や水道水などの清澄水を用いてろ過材を洗浄することが好ましいが、しかし清澄水はコストが高く、清澄水をふんだんに使用したのでは経済的な損失が大きくなる。
【０００９】
一方、逆洗運転時には、逆流する水流の勢いでろ過材同士が衝突し合い、付着している鉄やマンガンなどの不純成分が剥離して細かい粒子として残り、この粒子がその後の浄化運転時の浄化水中に混入する恐れがあり、このため逆洗運転後の浄化運転の初期には浄化水を一定時間いわゆる捨て水として廃棄することが行われるが、この場合にも無駄が生じ、経済的な損失となる。
【００１０】
この発明はこのような点に着目してなされたもので、その目的とするところは、逆洗運転時にろ過材を原水と清澄水とを用いて十分にかつ効率よく洗浄することができるとともに、その清澄水の使用を必要最小限に抑えて経済的に洗浄することができる浄水装置を提供することにある。
【課題を解決するための手段】
【００１１】
請求項１の発明は、流入路および流出路を有し、内部にろ過材が収容された処理槽内に前記流入路を通して原水を供給し、この原水を前記ろ過材に通すことによりその原水を清澄な浄化水として前記流出路から流出させる浄化運転と、この浄化運転から前記ろ過材が一定以上汚れたときに、そのろ過材を洗浄する手段として、前記流出路から処理槽内に洗浄用の水を逆流するように供給して前記流入路から流出させる逆洗運転に切替えることが可能な浄水装置おいて、前記逆洗運転時には、その運転の開始から途中までは前記流出路から処理槽内に供給して逆流させる洗浄用の水として原水を用い、それ以後には清澄水を用いることを特徴としている。
【００１２】
請求項２の発明は、前記原水が井戸水であり、前記清澄水が前記処理槽で浄化した浄化水または水道水であることを特徴としている。
【００１３】
請求項３の発明は、前記逆洗運転時において、洗浄用の水として原水を用いる運転と、清澄水を用いる運転とに切替えることが可能な制御手段を有することを特徴としている。
【００１４】
請求項４の発明は、前記制御手段が、洗浄用の水として原水を用いる運転の時間と、清澄水を用いる運転の時間との比率を変える機能を有することを特徴としている。
【００１５】
請求項５の発明は、前記処理槽の流入路と流出路とに渡って接続された浄化・逆洗切替用の電動弁と、この電動弁に接続された原水・清澄水切替用の電動弁とを備え、浄化運転時には前記原水・清澄水切替用の電動弁、前記浄化・逆洗切替用の電動弁および前記流入路を通して処理槽内に原水を供給し、逆洗運転時にはその開始から途中までは、前記浄化・逆洗切替用の電動弁の切替えの動作により、前記原水・清澄水切替用の電動弁、前記浄化・逆洗切替用の電動弁および前記流出路を通して処理槽内に原水を逆流するように供給し、それ以後は前記原水・清澄水切替用の電動弁の切替えの動作により、前記原水・清澄水切替用の電動弁、前記浄化・逆洗切替用の電動弁および前記流出路を通して処理槽内に清澄水を逆流するように供給することを特徴としている。
【００１６】
請求項６の発明は、前記浄化・逆洗切替用の電動弁および前記原水・清澄水切替用の電動弁の切替えの動作が前記制御手段により行なわれることを特徴としている。
【００１７】
請求項７の発明は、前記原水・清澄水切替用の電動弁が前記浄化・逆洗切替用の電動弁に着脱可能に取り付けられていることを特徴としている。
【発明の効果】
【００１８】
この発明の浄水装置によれば、逆洗運転時にろ過材を原水と清澄水とを用いて十分にかつ効率よく洗浄することができるとともに、その清澄水の使用を必要最小限に抑えて経済性を高めることができる。
【発明を実施するための最良の形態】
【００１９】
以下、この発明の実施の形態について図面を参照して説明する。
【００２０】
図１には浄水装置の側面から見た断面構造を、図２には平面から見た断面構造をそれぞれ示してある。この浄水装置は例えば除鉄除マンガン用で、縦型密閉構造の処理槽１を備えている。処理槽１は、有底筒状の胴部１ａと、この胴部１ａの上端の開口部に締結された鏡板１ｂとで構成されている。
【００２１】
処理槽１の内部にはアンスラサイトやろ過砂、マンガン砂などのろ過材２が一定の高さの層をなして収容されている。処理槽１の側面上部には、流入路を構成する流入管４および流出路を構成する流出管５が設けられている。これら流入管４および流出管５は、胴部１ａの側面を貫通するように処理槽１の外側から内部に渡って水平に挿入されている。
【００２２】
処理槽１内に挿入された流入管４の端部には散水管７が取り付けられ、流出管５の端部にはガイド管８が取り付けられている。散水管７はろ過材２の上層面の上側に配置され、その先端部は散水部７ａとして鏡板１ｂの内面中央に向くように立ち上がっている。ガイド管８はろ過材２の上層から下層に向けて挿入され、その下端部にはフィルタ９が取り付けられている。
【００２３】
処理槽１の外側には、流入管４および流出管５の双方に接続されて水の流路を複数に切替える浄化・逆洗切替用電動弁１１が設けられている。この浄化・逆洗切替用電動弁１１の水の流路を図９に模式的に示してある。
【００２４】
この浄化・逆洗切替用電動弁１１は、流入口１２、吐出口１３、第２流入口１４、浄化水吐出口１５、逆洗水排出口１６、洗浄水排出口１７を備え、また水の流路を切替える弁機構駆動用のモータ１８，１９を備え、前記吐出口１３が前記流入管４に接続され、前記第２流入口１４が前記流出管５に接続されている。
【００２５】
この浄化・逆洗切替用電動弁１１は、流入口１２から吐出口１３に通じる流路ａ、第２流入口１４から浄化水吐出口１５に通じる流路ｂ、流入口１２から第２流入口１４に通じる流路ｃ、吐出口１３から逆洗水排出口１６に通じる流路ｄ、第２流入口１４から洗浄水排出口１７に通じる流路ｅと、前記流路ａ〜ｅを選択的に開閉する弁機構２０，２１とを有し、前記弁機構２０，２１が前記モータ１８，１９により駆動されるようになっている。
【００２６】
浄化・逆洗切替用電動弁１１には原水・清澄水切替用電動弁２３が着脱可能に取り付けられている。この原水・清澄水切替用電動弁２３は原水流入口２５、清澄水流入口２６および吐出口２７を備え、また水の流路を切替える弁機構駆動用のモータ２８を備え、前記吐出口２７が浄化・逆洗切替用電動弁１１の流入口１２に着脱可能に接続されている。
【００２７】
この原水・清澄水切替用電動弁２３は、原水流入口２５から吐出口２７に通じる流路ｆ、清澄水流入口２６から吐出口２７に通じる流路ｇと、前記流路ｆ，ｇを択一的に開閉する三方弁からなる弁機構２９とを有し、前記弁機構２９が前記モータ２８により駆動されるようになっている。
【００２８】
図１に示すように、浄化・逆洗切替用電動弁１１の浄化水吐出口１５には、給水設備３３に通じる導水管３４が接続され、この導水管３４の途中からは貯水槽３６に通じる分岐管３７が導出されている。そして貯水槽３６からは給水管３８が導出され、この給水管３８が原水・清澄水切替用電動弁２３の清澄水流入口２６に接続され、またこの給水管３８の途中に給水ポンプ４０が取り付けられている。
【００２９】
図２に示すように、原水・清澄水切替用電動弁２３の原水流入口２５には井戸４１から導出された吸込管４２が接続され、この吸込管４２の途中に給水ポンプ４３が取り付けられている。
【００３０】
処理槽１の外側には、制御手段として、タイマを内蔵する制御部４５が設けられ、この制御部４５より前記モータ１８，１９，２８や給水ポンプ４０，４３などが制御されるようになっている。
【００３１】
次に、この浄水装置の作用について説明する。
【００３２】
（浄化運転）
図１および図２には浄化運転時における水の流れを矢印で示してある。浄化運転時には、原水・清澄水切替用電動弁２３の原水流入口２５から吐出口２７に通じる流路ｆが開かれ、また浄化・逆洗切替用電動弁１１の流入口１２から流入管４に通じる流路ａおよび第２流入口１４から浄化水吐出口１５に通じる流路ｂが開かれ、他の流路ｃ，ｄ，ｅ，ｇが閉じられている。
【００３３】
この状態で、制御部４５による制御で給水ポンプ４３が駆動され、この給水ポンプ４３により井戸４１内の原水（井戸水）が吸上げられ、吸込管４２を通して原水・清澄水切替用電動弁２３の原水流入口２５に送られる。なお、井戸４１から吸い上げられた原水には、前処理として鉄やマンガンなどのイオンを析出させるための次亜塩素酸ナトリウムなどが注入される。
【００３４】
原水・清澄水切替用電動弁２３の原水流入口２５に送られた原水は、前記流路ｆを通して浄化・逆洗切替用電動弁１１の流入口１２に送られ、さらに浄化・逆洗切替用電動弁１１の前記流路ａおよび流入管４を通して散水管７に送られ、この散水管７の散水部７ａから処理槽１内に散水される。
【００３５】
処理槽１内に散水された原水は、ろ過材２を通過して処理槽１の内底部に至る。原水がろ過材２を通過する際には、その原水中に含まれる鉄やマンガンなどの不純成分がろ過材２により捕捉除去され、原水が清澄な浄化水となる。
【００３６】
浄化された浄化水はフィルタ９を通してガイド管８内に流入し、このガイド管８から流出管５および浄化・逆洗切替用電動弁１１の前記流路ｂを通して浄化水吐出口１５から吐出され、この浄化水が導水管３４を通して給水設備３３に送られ、各種の用途に使用される。この際、浄化水の一部は貯水槽３６に貯留される。
【００３７】
このような浄化運転の継続に伴い、ろ過材２には鉄やマンガンなどの不純成分が徐々に蓄積される。ろ過材２に蓄積される不純成分の蓄積量は、例えば浄化運転の時間を制御部４５が計測することにより検出される。そして、不純成分の蓄積量が一定量に達し、それが制御部４５により検出されると、制御部４５による信号に基づいて浄化運転が逆洗運転に切替えられる。
【００３８】
（逆洗運転）
図３および図４には逆洗運転時における水の流れを矢印で示してある。逆洗運転時には、まず制御部４５による信号に基づいて浄化・逆洗切替用電動弁１１のモータ１８，１９が駆動され、弁機構２０，２１の動作で流入口１２から流入管４に通じる流路ａが閉じられるとともに、流入口１２から流出管５に通じる流路ｃが開かれ、かつ流出管５から浄化水吐出口１５に通じる前記流路ｂが閉じられ、また流入管４から逆洗水排出口１６に通じる流路ｄが開かれる。
【００３９】
そして、井戸４１から吸上げられた原水が給水ポンプ４３を介して原水・清澄水切替用電動弁２３の原水流入口２５に送られるとともに、この原水が原水・清澄水切替用電動弁２３の前記流路ｆを通して浄化・逆洗切替用電動弁１１の流入口１２に送られ、この流入口１２から流路ｃを通して流出管５に送られる。
【００４０】
流出管５に送られた原水は、ガイド管８を通り、フィルタ９から処理槽１の内底部に噴出される。噴出された原水は、ろ過材２の下層から上層に向って流通するとともに、散水部７ａから散水管７内に流入する。
【００４１】
このように逆洗運転時には、原水が浄化運転時とは逆にろ過材２の下層から上層に向って逆流するように流通し、このためろ過材２に付着している不純成分がその逆流する原水により分離除去される。そして原水は、不純成分を含むことにより汚水となり、この汚水が散水管７内に流入し、さらに流入管４から流路ｄを通して浄化・逆洗切替用電動弁１１の逆洗水排出口１６から排出され、所定の廃棄部に廃棄される。
【００４２】
このような原水を用いる逆洗運転は、制御部４５による制御で所定時間継続され、この工程の間にろ過材２に付着している不純成分の大部分が除去される。この工程は、ろ過材２の洗浄に原水が用いられるが、その原水自体が不純成分をもつため、ろ過材２にはある程度の不純成分が残る。
【００４３】
そこで、この発明では、原水を用いる逆洗運転の工程後に、制御部４５の制御により清澄水を用いる逆洗運転が開始される。図５および図６には清澄水を用いる逆洗運転時における水の流れを示してある。
【００４４】
清澄水を用いる逆洗運転時には、まず制御部４５による信号に基づいて原水・清澄水切替用電動弁２３のモータ２８が駆動され、原水流入口２５から吐出口２７に通じる流路ｆが閉じられると共に、清澄水流入口２６から吐出口２７に通じる流路ｇが開かれ、また井戸用の給水ポンプ４３が停止され、これに替り浄化水用の給水ポンプ４０が動作するように切替えられる。
【００４５】
そして浄化水用の給水ポンプ４０の動作により、貯水槽３６内の浄化水が清澄水として原水・清澄水切替用電動弁２３の清澄水流入口２６に送られるとともに、この清澄水が浄化・逆洗切替用電動弁１１の流路ｃを通して流出管５に送られる。
【００４６】
流出管５に送られた清澄水は、ガイド管８を通り、フィルタ９から処理槽１の内底部に噴出され、ろ過材２の下層から上層に向って流通するとともに、散水部７ａから散水管７内に流入する。
【００４７】
このように、清澄水がろ過材２の下層から上層に向って流通することにより、その清澄水でろ過材２がすすがれ、不純成分のほとんどが分離除去される。そして、散水管７内に流入した清澄水は、流入管４を通して浄化・逆洗切替用電動弁１１の逆洗水排出口１６から排出され、所定の廃棄部に廃棄される。  
清澄水による逆洗運転は、制御部４５による制御で所定時間行なわれる。そして所定時間が経過した後には、制御部４５による制御で洗浄運転に切替えられる。
【００４８】
（洗浄運転）
図７および図８には洗浄運転時における水の流れを示してある。洗浄運転時には、制御部４５による制御で原水・清澄水切替用電動弁２３のモータ２８が駆動され、弁機構２９の動作で清澄水流入口２６から吐出口２７に通じる流路ｇが閉じられると共に、原水流入口２５から吐出口２７に通じる流路ｆが開かれ、また浄化・逆洗切替用電動弁１１のモータ１８，１９が駆動され、弁機構２０，２１の動作で流入口１２から第２流入口１４に通じる流路ｃが閉じられると共に、流入口１２から吐出口１３に通じる流路ａが開かれ、かつ吐出口１３から逆洗水排出口１６に通じる流路ｄが閉じられると共に、第２流入口１４から洗浄水排出口１７に通じる流路ｅが開かれ、さらに清澄水用の給水ポンプ４０が停止され、これに替り井戸用の給水ポンプ４３が動作するように切替えられる。
【００４９】
そして、井戸４１から吸上げられた原水が給水ポンプ４３を介して原水・清澄水切替用電動弁２３の原水流入口２５に送られ、この原水が浄化・逆洗切替用電動弁１１から流入管４を通して散水管７に送られ、処理槽１内に散水され、さらにろ過材２を通過して処理槽１の内底部に至り、ガイド管８から流出管５を通り、浄化・逆洗切替用電動弁１１の洗浄水排出口１７から排出され、所定の廃棄部に廃棄される。
【００５０】
このように、原水が順方向に流通することにより、その流通経路やろ過材２が最終的な仕上り状態に洗浄される。この洗浄運転はごく僅かな時間だけ行なわれ、この洗浄運転後には制御部４５による制御で浄化・逆洗切替用電動弁１１のモータ１９が駆動され、弁機構２１の動作で第２流入口１４から洗浄水排出口１７に通じる流路ｅが閉じられると共に、第２流入口１４から浄化水吐出口１５に通じる流路ｂが開かれ、浄化運転に切替わる。そして、処理槽１で処理された浄化水が浄化水吐出口１５から吐出され、給水設備３３に送られ、所定の用途に使用される。
【００５１】
以上のように、本実施形態では、原水を用いる逆洗運転で処理槽１内のろ過材２をある程度洗浄（粗洗浄）し、この後、清澄水を用いる逆洗運転でろ過材２を綿密にすすぐように洗浄（すすぎ洗浄）するため、ろ過材２を効率よく高い洗浄度で洗浄することができる。
【００５２】
逆洗運転時に、最初から清澄水を用いてろ過材２を洗浄すれば、それだけ高い洗浄度で洗浄することはできるが、それではコストの高い清澄水を多量に消費することになり、経済的な損失が生じる。
【００５３】
本実施形態では、ろ過材２に多量の不純成分が付着している逆洗運転の前半工程ではコストの安い原水を用いてろ過材２を粗洗浄し、この後、清澄水を用いてろ過材２を綿密にすすぐように洗浄するものであり、このためコストの高い清澄水の消費を少なく抑えて経済性を高めることができる。
【００５４】
原水を用いる逆洗運転の時間と清澄水を用いる逆洗運転の時間との比率は、ろ過材２に付着する不純成分の付着度合などに応じて制御部４５による制御で任意に設定することができる。また、清澄水としては、処理槽１で処理した浄化水を用いる場合のほか、水道水を用いることも可能である。
【００５５】
原水の不純成分の濃度が低く、清澄水を用いる逆洗運転を必要としないような場合には、制御部４５の設定の変更により清澄水を用いる逆洗運転の時間をゼロとし、原水を用いる逆洗運転のみでろ過材２を洗浄するような形態をとることも可能である。
【００５６】
ところで、浄化・逆洗切替用電動弁１１のみを有する浄水装置は標準製品として従来から一般に設置されている。この場合、浄化・逆洗切替用電動弁１１の流入口１２に井戸から直接原水が送り込まれ、弁機構２０，２１の切替えによりその原水で浄化する浄化運転とその原水を処理槽１に逆流させてろ過材２を洗浄する逆洗運転とが行なわれるが、原水の不純成分の濃度が高いなどの理由から原水を用いる逆洗運転だけでは洗浄が不十分となるようなときに、その浄水装置の浄化・逆洗切替用電動弁１１に原水・清澄水切替用電動弁２３を取り付けて清澄水を用いる洗浄運転を付加するような形態をとることも可能である。
【図面の簡単な説明】
【００５７】
【図１】この発明の一実施形態に係る浄水装置の側面から見た断面図で、浄化運転時の水の流れを矢印で示してある。
【図２】その浄水装置の平面から見た断面図で、浄化運転時の水の流れを矢印で示してある。
【図３】浄水装置の側面から見た断面図で、逆洗運転前半時の水の流れを矢印で示してある。
【図４】浄水装置の平面から見た断面図で、逆洗運転前半時の水の流れを矢印で示してある。
【図５】浄水装置の側面から見た断面図で、逆洗運転後半時の水の流れを矢印で示してある。
【図６】浄水装置の平面から見た断面図で、逆洗運転後半時の水の流れを矢印で示してある。
【図７】浄水装置の側面から見た断面図で、洗浄運転時の水の流れを矢印で示してある。
【図８】浄水装置の平面から見た断面図で、洗浄運転時の水の流れを矢印で示してある。
【図９】浄水装置の水の流通経路を模式的に示す説明図。
【符号の説明】
【００５８】
１…処理槽
２…ろ過材
４…流入管
５…流出管
７…散水管
８…ガイド管
９…フィルタ
１１…浄化・逆洗切替用電動弁
１２…流入口
１３…吐出口
１４…第２流入口
１５…浄化水吐出口
１６…逆洗水排出口
１７…洗浄水排出口
１８．１９…モータ
２０．２１…弁機構
２３…原水・清澄水切替用電動弁
２５…原水流入口
２６…清澄水流入口
２７…吐出口
２８…モータ
２９…弁機構
３３…給水設備
３６…貯水槽
４０．４３…給水ポンプ
４１…井戸
４２…吸込管
４５…制御部
【図１】
2007021361.tif 000003
【図２】
2007021361.tif 000004
【図３】
2007021361.tif 000005
【図４】
2007021361.tif 000006
【図５】
2007021361.tif 000007
【図６】
2007021361.tif 000008
【図７】
2007021361.tif 000009
【図８】
2007021361.tif 000010
【図９】
2007021361.tif 000011